(57)【特許請求の範囲】
【請求項１】
矩形板状の基板と、
前記基板上に固着された矩形板状のガイドプレートと、
前記ガイドプレートの上面の中央付近に形成され、断面が凹型形状であって、かつ底面が矩形状のワークガイドと、
前記ワークガイドの底面の中央付近に形成され、断面が凹型形状であって、かつ前記ワークガイドの底面より小さくなるように形成された底面が矩形状のポケットと、
前記ポケットの底面の４つの角部のうち、対角線上に位置する２つの角部付近に、前記ポケットの底面と前記ガイドプレートの下面とを貫通するようにして形成され、前記ガイドプレートの下面側に形成された長幅部分と、前記ポケットの底面側に形成され、前記長幅部分より幅方向及び長手方向の長さが短くなるように形成された短幅部分とからなる第１及び第２の貫通孔と、
幅方向の長さが、前記第１及び第２の貫通孔のうち、前記短幅部分の幅方向の長さより長く、かつ前記長幅部分の幅方向の長さより短くなるように形成され、弾性部材によって構成され長手方向に伸縮する中央部分と、幅方向の長さが、前記中央部分より短く、かつ前記第１及び第２の貫通孔の前記短幅部分の幅方向の長さより短くなるように前記中央部分の両側に形成された先端部分とからなり、前記先端部分の長手方向の長さが、それぞれ同一の長さであって、かつ前記第１及び第２の貫通孔の前記短幅部分の長手方向の長さより長くになるように形成されると共に、いずれか一方の前記先端部分及び前記中央部分の長手方向の長さが、前記第１及び第２の貫通孔の前記長幅部分の長手方向の長さと同一になるように形成され、前記第１及び第２の貫通孔に挿入された第１及び第２のコンタクトピンと、
前記基板の下面に一端が接続された第１及び第２の外部端子と、
前記基板の４つの側面のうち、対向する２つの側面に固着された矩形板状の第１及び第２の側壁と、
前記第１及び第２の側壁の上側に位置する２つの角部のうち、一方の角部付近に、前記第１及び第２の側壁を貫通するように形成され、横方向より縦方向の長さが長くなるように形成された第１及び第２の長穴と、
矩形板状の蓋と、
前記蓋の４つの側面のうち、対向する２つの側面の端部付近に、前記蓋から突出するように形成され、前記第１及び第２の長穴に挿入された前記第１及び第２の軸と、
前記蓋の下面の中央付近には、前記ポケットに収納される水晶振動子と接触する接触面の大きさが、前記ポケットの底面より大きく、かつ前記ワークガイドの底面より小さくなるように矩形状に形成されると共に、高さが前記ワークガイドの深さと同一になるように断面が凸型形状に形成されたワーク押さえと
を備えることを特徴とする水晶振動子の測定治具。
【発明の詳細な説明】
【技術分野】
【０００１】
本発明は、水晶振動子の測定治具に関する。
【背景技術】
【０００２】
従来、水晶振動子の周波数や抵抗値を測定するための治具として、種々の測定治具が提案及び開発されている（例えば、特許文献１参照）。
【先行技術文献】
【特許文献】
【０００３】
【特許文献１】特開平１０−２６７９７４号公報
【発明の概要】
【発明が解決しようとする課題】
【０００４】
本発明は、水晶振動子が小型化されても、水晶振動子の周波数や抵抗値を安定して測定することができる水晶振動子の測定治具を提供することを目的とする。
【課題を解決するための手段】
【０００５】
本発明の一態様による水晶振動子の測定治具は、
矩形板状の基板と、
前記基板上に固着された矩形板状のガイドプレートと、
前記ガイドプレートの上面の中央付近に形成され、断面が凹型形状であって、かつ底面が矩形状のワークガイドと、
前記ワークガイドの底面の中央付近に形成され、断面が凹型形状であって、かつ前記ワークガイドの底面より小さくなるように形成された底面が矩形状のポケットと、
前記ポケットの底面の４つの角部のうち、対角線上に位置する２つの角部付近に、前記ポケットの底面と前記ガイドプレートの下面とを貫通するようにして形成され、前記ガイドプレートの下面側に形成された長幅部分と、前記ポケットの底面側に形成され、前記長幅部分より幅方向及び長手方向の長さが短くなるように形成された短幅部分とからなる第１及び第２の貫通孔と、
幅方向の長さが、前記第１及び第２の貫通孔のうち、前記短幅部分の幅方向の長さより長く、かつ前記長幅部分の幅方向の長さより短くなるように形成され、弾性部材によって構成され長手方向に伸縮する中央部分と、幅方向の長さが、前記中央部分より短く、かつ前記第１及び第２の貫通孔の前記短幅部分の幅方向の長さより短くなるように前記中央部分の両側に形成された先端部分とからなり、前記先端部分の長手方向の長さが、それぞれ同一の長さであって、かつ前記第１及び第２の貫通孔の前記短幅部分の長手方向の長さより長くになるように形成されると共に、いずれか一方の前記先端部分及び前記中央部分の長手方向の長さが、前記第１及び第２の貫通孔の前記長幅部分の長手方向の長さと同一になるように形成され、前記第１及び第２の貫通孔に挿入された第１及び第２のコンタクトピンと、
前記基板の下面に一端が接続された第１及び第２の外部端子と、
前記基板の４つの側面のうち、対向する２つの側面に固着された矩形板状の第１及び第２の側壁と、
前記第１及び第２の側壁の上側に位置する２つの角部のうち、一方の角部付近に、前記第１及び第２の側壁を貫通するように形成され、横方向より縦方向の長さが長くなるように形成された第１及び第２の長穴と、
矩形板状の蓋と、
前記蓋の４つの側面のうち、対向する２つの側面の端部付近に、前記蓋から突出するように形成され、前記第１及び第２の長穴に挿入された前記第１及び第２の軸と
前記蓋の下面の中央付近には、前記ポケットに収納される水晶振動子と接触する接触面の大きさが、前記ポケットの底面より大きく、かつ前記ワークガイドの底面より小さくなるように矩形状に形成されると共に、高さが前記ワークガイドの深さと同一になるように断面が凸型形状に形成されたワーク押さえと
を備える。
【発明の効果】
【０００６】
本発明の水晶振動子の測定治具によれば、水晶振動子が小型化されても、水晶振動子の周波数や抵抗値を安定して測定することができる。
【図面の簡単な説明】
【０００７】
【図１】本発明の実施の形態による水晶振動子の測定治具の構成を示す斜視図及び分解斜視図である。
【図２】水晶振動子を収納するポケットの平面図と、測定治具の断面構造を示す縦断面図である。
【図３】水晶振動子をポケットに収納し蓋を閉めた場合の断面構造を示す縦断面図である。
【発明を実施するための形態】
【０００８】
以下、本発明の実施の形態について図面を参照して説明する。
【０００９】
図１は、本発明の実施の形態による水晶振動子の測定治具１０の構成を示す。このうち図１（ａ）は、水晶振動子の測定治具１０の斜視図を示し、図１（ｂ）は、水晶振動子の測定治具１０の分解斜視図を示す。また、図２（ａ）は、水晶振動子を収納するポケット５０を上方から視認した場合の平面図を示し、図２（ｂ）は、図２（ａ）中のＡ−Ａ’線に沿って切断した場合の縦断面図を示す。
【００１０】
水晶振動子の測定治具１０は、矩形板状の基板２０を有し、基板２０上には、基板２０と同一の面積を有する矩形板状のガイドプレート３０が固着されている。
【００１１】
ガイドプレート３０の上面の中央付近には、断面が凹型形状であって、底面が矩形状のワークガイド４０が形成されている。さらに、ワークガイド４０の底面の中央付近には、断面が凹型形状であって、底面が矩形状のポケット５０が形成されている。なお、このポケット５０の底面は、ワークガイド４０の底面より小さくなるように形成され、これにより、ワークガイド４０及びのポケット５０の断面は、階段状に形成されている。
【００１２】
ポケット５０の底面の４つの角部のうち、対角線上に位置する２つの角部付近には、第１及び第２の貫通孔６０Ａ及び６０Ｂが、ポケット５０の底面とガイドプレート３０の下面とを貫通するようにして形成されている。これら第１及び第２の貫通孔６０Ａ及び６０Ｂは、断面が凸型形状に形成され、その段差は、ポケット５０の底面側近傍に形成されている。
【００１３】
このように、第１及び第２の貫通孔６０Ａ及び６０Ｂは、ガイドプレート３０の下面側に形成された長幅部分６０ＡＡ及び６０ＢＡと、ポケット５０の底面側に形成され、長幅部分６０ＡＡ及び６０ＢＡより幅方向の長さが短い短幅部分６０ＡＢ及び６０ＢＢとから形成されている。また、短幅部分６０ＡＢ及び６０ＢＢは、長幅部分６０ＡＡ及び６０ＢＡより長手方向の長さが短くなるように形成されている。
【００１４】
第１及び第２の貫通孔６０Ａ及び６０Ｂには、棒状の第１及び第２のコンタクトピン７０Ａ及び７０Ｂが挿入され、これら第１及び第２のコンタクトピン７０Ａ及び７０Ｂは、ポケット５０に収納される水晶振動子の外部端子（図示せず）に電気的に接続するように配置されている。
【００１５】
第１及び第２のコンタクトピン７０Ａ及び７０Ｂの両側の先端部分７０ＡＢ及び７０ＡＣ並びに７０ＢＢ及び７０ＢＣは、断面が凸型形状に形成され、長手方向と直交する幅方向の長さが、その中央部分７０ＡＡ及び７０ＢＡより短くなるように形成されている。
【００１６】
すなわち、第１及び第２のコンタクトピン７０Ａ及び７０Ｂは、中央部分７０ＡＡ及び７０ＢＡと、長手方向と直交する幅方向の長さが中央部分７０ＡＡ及び７０ＢＡより短くなるように形成された先端部分７０ＡＢ及び７０ＡＣ並びに７０ＢＢ及び７０ＢＣとによって形成されている。
【００１７】
ところで、第１及び第２のコンタクトピン７０Ａ及び７０Ｂの先端部分７０ＡＢ及び７０ＡＣ並びに７０ＢＢ及び７０ＢＣの幅方向の長さは、第１及び第２の貫通孔６０Ａ及び６０Ｂの短幅部分６０ＡＢ及び６０ＢＢの幅方向の長さより短くなるように形成されている。
【００１８】
第１及び第２のコンタクトピン７０Ａ及び７０Ｂの中央部分７０ＡＡ及び７０ＢＡの幅方向の長さは、第１及び第２の貫通孔６０Ａ及び６０Ｂの短幅部分６０ＡＢ及び６０ＢＢの幅方向の長さより長く、かつ長幅部分６０ＡＡ及び６０ＢＡの幅方向の長さより短くなるように形成されている。
【００１９】
一方、第１及び第２のコンタクトピン７０Ａ及び７０Ｂの下側の先端部分７０ＡＣ及び７０ＢＣ並びに中央部分７０ＡＡ及び７０ＢＡの長手方向の長さは、第１及び第２の貫通孔６０Ａ及び６０Ｂの長幅部分６０ＡＡ及び６０ＢＡの長手方向の長さと同一になるように形成されている。
【００２０】
また、第１及び第２のコンタクトピン７０Ａ及び７０Ｂの上側の先端部分７０ＡＢ及び７０ＢＢの長手方向の長さは、第１及び第２の貫通孔６０Ａ及び６０Ｂの短幅部分６０ＡＢ及び６０ＢＢの長手方向の長さより長くなるように形成されている。
【００２１】
なお、第１及び第２のコンタクトピン７０Ａ及び７０Ｂのうち、上側の先端部分７０ＡＢ及び７０ＢＢと、下側の先端部分７０ＡＣ及び７０ＢＣとは、その長手方向の長さが同一になるように形成されている。
【００２２】
ところで、第１及び第２のコンタクトピン７０Ａ及び７０Ｂは、その中央部分７０ＡＡ及び７０ＢＡが例えばバネなどの弾性部材によって構成され、長手方向に伸縮し得るようになされている。
【００２３】
第１及び第２のコンタクトピン７０Ａ及び７０Ｂが伸張する際には、第１及び第２の貫通孔６０Ａ及び６０Ｂのうち、ポケット５０の底面側近傍に形成された段差がストッパとしての機能を果たすようになされている。
【００２４】
これにより、水晶振動子がポケット５０に収納されていない通常時には、第１及び第２のコンタクトピン７０Ａ及び７０Ｂの両側の先端部分７０ＡＢ及び７０ＡＣ並びに７０ＢＢ及び７０ＢＣのうち、下側の先端部分７０ＡＣ及び７０ＢＣの下端は、基板２０に接触する一方、上側の先端部分７０ＡＢ及び７０ＢＢの上端は、第１及び第２の貫通孔６０Ａ及び６０Ｂから露出するようになされている。
【００２５】
なお、基板２０の下面には、第１及び第２の外部端子８０Ａ及び８０Ｂの一端が接続され、第１及び第２の外部端子８０Ａ及び８０Ｂは、基板２０を介して、第１及び第２のコンタクトピン７０Ａ及び７０Ｂと電気的に接続されている。一方、第１及び第２の外部端子８０Ａ及び８０Ｂの他端には、水晶振動子の周波数や抵抗値を測定するための測定装置（図示せず）が接続されている。
【００２６】
ところで、基板２０の４つの側面のうち、対向する２つの側面には、矩形板状の第１及び第２の側壁９０Ａ及び９０Ｂが固着され、これら基板２０並びに第１及び第２の側壁９０Ａ及び９０Ｂは、コ字状を形成するように接続されている。
【００２７】
第１及び第２の側壁９０Ａ及び９０Ｂの上側に位置する２つの角部のうち、一方の角部付近には、第１及び第２の長穴１００Ａ及び１００Ｂが、第１及び第２の側壁９０Ａ及び９０Ｂを貫通するように形成されている。これら第１及び第２の長穴１００Ａ及び１００Ｂは、横方向より縦方向（すなわち上下方向）の長さが長くなるように形成されている。
【００２８】
また、水晶振動子の測定治具１０は、ガイドプレート３０と同一の面積を有するように形成された矩形板状の蓋１１０を有する。蓋１１０の４つの側面のうち、対向する２つの側面の端部付近には、第１及び第２の長穴１００Ａ及び１００Ｂに挿入される第１及び第２の軸１２０Ａ及び１２０Ｂが、蓋１１０から突出するように固着されている。
【００２９】
第１及び第２の軸１２０Ａ及び１２０Ｂの外径は、第１及び第２の長穴１００Ａ及び１００Ｂの横方向の長さより短くなるように形成されている。これにより、第１及び第２の軸１２０Ａ及び１２０Ｂは、第１及び第２の長穴１００Ａ及び１００Ｂに沿って、縦方向（すなわち上下方向）に移動し得るようになされている。
【００３０】
蓋１１０の下面の中央付近には、断面が凸型形状であって、表面（すなわち、ポケット５０に収納される水晶振動子と接触する接触面）が矩形状のワーク押さえ１３０が形成されている。ワーク押さえ１３０の表面の大きさは、ポケット５０の底面より大きく、かつワークガイド４０の底面より小さくなるように形成されている。さらに、ワーク押さえ１３０の高さは、ワークガイド４０の深さと同一になるように形成されている。
【００３１】
図３（ａ）は、水晶振動子１４０をポケット５０に収納し蓋１１０を閉めた場合における、ポケット５０付近と、第１及び第２の長穴１００Ａ及び１００Ｂ付近の様子を示す。すなわち、水晶振動子１４０をポケット５０に収納して蓋１１０を閉めると、ワーク押さえ１３０によって水晶振動子１４０が下方に押さえ付けられる。
【００３２】
この場合、水晶振動子１４０の下面が第１及び第２のコンタクトピン７０Ａ及び７０Ｂの上側の先端部分７０ＡＢ及び７０ＢＢに接触した状態で、第１及び第２のコンタクトピン７０Ａ及び７０Ｂが縮む。このようにして、水晶振動子１４０の下面とポケット５０の底面とが接触することにより、水晶振動子１４０の姿勢が安定する。
【００３３】
これにより、水晶振動子１４０を常に一定の姿勢に維持した上で、水晶振動子１４０の測定を行うことができ、従って水晶振動子１４０の周波数や抵抗値を安定して測定し得、測定精度を向上させることができる。
【００３４】
図３（ｂ）は、水晶振動子１４０より厚さが厚い水晶振動子１５０をポケット５０に収納し蓋１１０を閉めた場合における、ポケット５０付近と、第１及び第２の長穴１００Ａ及び１００Ｂ付近の様子を示す。この場合、水晶振動子１４０と比較して、第１及び第２の軸１２０Ａ及び１２０Ｂが、第１及び第２の長穴１００Ａ及び１００Ｂ内を上方に移動することにより、蓋１１０の位置を水晶振動子１５０の厚みに応じた位置に移動させることができる。
【００３５】
このようにして、測定対象の水晶振動子の厚さが変わった場合であっても、水晶振動子にダメージを与えることなく、安定して水晶振動子の全体を押さえることができ、従って測定の安定化を図ることができる。
【００３６】
なお、上述の実施の形態においては、第１及び第２のコンタクトピン７０Ａ及び７０Ｂの幅方向の断面形状として、矩形状を適用した場合について述べたが、本発明はこれに限らず、例えば円形状など、他の種々の形状を適用するようにしても良い。
【符号の説明】
【００３７】
１０  水晶振動子の測定治具
２０  基板
３０  ガイドプレート
４０  ワークガイド
５０  ポケット
６０  貫通孔
７０  コンタクトピン
９０  側壁
１００  長穴
１１０  蓋
１２０  軸
１３０  ワーク押さえ
１４０、１５０水晶振動子
【図１】
0006598689.tif 000002
【図２】
0006598689.tif 000003
【図３】
0006598689.tif 000004